(57)【要約】【課題】複数の印刷装置からなる印刷システム全体のステータスを容易に認識可能にユーザに提示する。【解決手段】情報処理装置１００は、複数の印刷装置２０１〜２０６からなる印刷システム２００に対して印刷データを生成し、転送する。これに先だって、個々の印刷装置２０１〜２０６のステータスを取得・解析し、印刷システム２００全体のステータスに変換して１つのメッセージとして情報処理装置１００のモニタ上に表示する。【選択図】図１
2007128469.tif 000002
【特許請求の範囲】
【請求項１】
情報処理装置が複数の印刷装置を用いて１枚の記録媒体に印刷を行う印刷システムであって、
前記複数の印刷装置は、それぞれ通信部および印刷部を備え、前記情報処理装置からの指示に応じて独立に動作し、共通に搬送される記録媒体に対して印刷動作を行い、
前記情報処理装置は、印刷データを生成する印刷データ生成部と、情報を表示する表示部と、前記各印刷装置の通信部と通信を行う通信部と、前記複数の印刷装置の制御およびステータスに関連した処理を行う制御部とを備え、
前記制御部は、前記複数の印刷装置と通信し、この通信により取得した各印刷装置のステータスを解析し、この解析結果に基づいて前記印刷システムのステータスを判断し、画面上に表示することを特徴とする印刷システム。
【請求項２】
複数の印刷装置を用いて１枚の記録媒体に印刷を行う印刷システムに対して通信インタフェースを経由して印刷の指示を行う情報処理装置において、前記印刷システムのステータスを表示するステータス表示方法であって、
前記複数の印刷装置と通信するステップと、
前記複数の印刷装置との通信により取得した各印刷装置のステータスを解析するステップと、
解析結果に基づいて前記印刷システムのステータスを判断し、画面上に表示するステップと
を備えたことを特徴とするステータス表示方法。
【請求項３】
前記印刷システムのステータスとして、前記複数の印刷装置に対して印刷データを転送することが許可されるか否かを１つのメッセージで表示することを特徴とする請求項２記載のステータス表示方法。
【請求項４】
前記複数の印刷装置と通信を行う際、接続ができない、またはステータスを取得できない印刷装置が１台でも存在する場合、データ転送不可とすることを特徴とする請求項３記載のステータス表示方法。
【請求項５】
前記複数の印刷装置から取得したステータスを解析する際、転送中、ステータスエラー、ビジー状態、インク無し状態のいずれかである印刷装置が１台でも存在する場合、データ転送不可とすることを特徴とする請求項３記載のステータス表示方法。
【請求項６】
前記印刷システムのステータスが転送不可である場合に、ユーザによる印刷指示を抑止するとともに、その抑止状態を画面上で表示することを特徴とする請求項３〜５のいずれかに記載のステータス表示方法。
【請求項７】
前記複数の印刷装置との通信により取得した各印刷装置のステータスを表示するステップをさらに備えることを特徴とする請求項２記載のステータス表示方法。
【請求項８】
前記各ステップは、一定時間間隔で実行されることを特徴とする請求項２記載のステータス表示方法。
【発明の詳細な説明】
【技術分野】
【０００１】
本発明は、複数の印刷装置を使用して１枚の記録媒体に印刷を行う印刷システムに関し、特に複数の印刷装置と通信可能な情報処理装置上で、印刷装置のステータスを表示する印刷システムおよびそのステータス表示方法に関するものである。
【背景技術】
【０００２】
従来、印刷装置と通信インタフェースで接続された情報処理装置において、印刷装置のステータスを取得・解析して、情報処理装置のモニタ上に表示する技術が知られている。例えば、１台のプリンタと通信可能なコンピュータが、プリンタからステータスを取得し、このステータスをメッセージに変換してディスプレイに表示する技術が提案されている（特許文献１参照）。
【特許文献１】特開平１１−１３４１４０号公報
【発明の開示】
【発明が解決しようとする課題】
【０００３】
ところで、業務用の印刷システムでは、一定幅のラインヘッドを有する印刷装置を許容最大数内の任意の個数、組み合わせて利用することにより、所望の記録幅に対応できるものが検討されている。
【０００４】
しかし、複数の印刷装置を使用して１枚の記録媒体に印刷を行う印刷システム
では、ステータスが印刷装置台数分存在することになる。従来の技術では、情報処理装置において、個々の印刷装置のステータスを確認することはできるが、複数の印刷装置からなる一つの印刷システムについて、あたかも一つの印刷装置のようにそのステータスをユーザが確認できることが好ましい。
【０００５】
本発明はこのような背景においてなされたものであり、その目的は、複数の印刷装置からなる印刷システム全体のステータスを容易に認識可能にユーザに提示することができる印刷システムおよびそのステータス表示方法を提供することを目的とする。
【課題を解決するための手段】
【０００６】
本発明による印刷システムは、情報処理装置が複数の印刷装置を用いて１枚の記録媒体に印刷を行う印刷システムであって、前記複数の印刷装置は、それぞれ通信部および印刷部を備え、前記情報処理装置からの指示に応じて独立に動作し、共通に搬送される記録媒体に対して印刷動作を行い、前記情報処理装置は、印刷データを生成する印刷データ生成部と、情報を表示する表示部と、前記各印刷装置の通信部と通信を行う通信部と、前記複数の印刷装置の制御およびステータスに関連した処理を行う制御部とを備え、前記制御部は、前記複数の印刷装置と通信し、この通信により取得した各印刷装置のステータスを解析し、この解析結果に基づいて前記印刷システムのステータスを判断し、画面上に表示することを特徴とする。
【０００７】
この構成により、複数の印刷装置からなる印刷システムを一つの印刷装置と考え、印刷装置台数分あるステータスをユーザが確認しやすいように１つのステータスメッセージに変換して表示する事ができる。
【０００８】
本発明によるステータス表示方法は、複数の印刷装置を用いて１枚の記録媒体に印刷を行う印刷システムに対して通信インタフェースを経由して印刷の指示を行う情報処理装置において、前記印刷システムのステータスを表示するステータス表示方法であって、前記複数の印刷装置と通信するステップと、前記複数の印刷装置との通信により取得した各印刷装置のステータスを解析するステップと、
解析結果に基づいて前記印刷システムのステータスを判断し、画面上に表示するステップとを備えたことを特徴とする。
【０００９】
本発明の実施の形態として、前記印刷システムのステータスとして、前記複数の印刷装置に対して印刷データを転送することが許可されるか否かを１つのメッセージで表示する。
【００１０】
より具体的には、前記複数の印刷装置と通信を行う際、接続ができない、またはステータスを取得できない印刷装置が１台でも存在する場合、データ転送不可とすることを特徴とする。
【００１１】
前記複数の印刷装置から取得したステータスを解析する際、転送中、ステータスエラー、ビジー状態、インク無し状態のいずれかである印刷装置が１台でも存在する場合、データ転送不可とする。
【００１２】
前記印刷システムのステータスが転送不可である場合に、ユーザによる印刷指示を抑止するとともに、その抑止状態を画面上で表示することが好ましい。
【００１３】
前記複数の印刷装置との通信により取得した各印刷装置のステータスを表示するステップをさらに備えるようにしてもよい。
【００１４】
前記各ステップは、例えば、一定時間間隔で実行される。
【発明の効果】
【００１５】
本発明によれば、複数の印刷装置を使用して１枚の記録媒体に印刷を行う印刷システムにおいて、印刷装置台数分あるステータスをユーザが確認しやすいように１つのステータスメッセージに変換して表示することができるので、ユーザがあたかも一つの印刷装置を利用していると同様のユーザインタフェースを提供することが可能となる。
【発明を実施するための最良の形態】
【００１６】
以下、本発明の実施の形態を図面を参照して詳細に説明する。
【００１７】
図１は本実施の形態に係る印刷システム２００の概略構成を、情報処理装置であるＰＣ１００とともに示したものである。この印刷システム２００は複数（ここでは６台）の印刷装置２０１〜２０６がそれぞれ個別の通信インタフェース２０１ａ〜２０６ａ（例えばＵＳＢ：Universal Serial Bus）を介してＰＣ１００と接続してある。通信インターフェースとしては、ネットワークケーブル、ＵＳＢ（Universal Serial Bus）ケーブル、無線ＬＡＮ等を採用することができる。ＰＣ１００は、印刷対象の画像データを分割して印刷データとして印刷装置２０１〜２０６に送る。
【００１８】
なお、本発明ではＰＣ１００も含めて印刷システムとみなすこともできる。
【００１９】
記録媒体Ｐは、媒体搬送装置（図３）によって図１中の矢印方向に搬送され、印刷装置２０１〜２０６は、その記録媒体Ｐの幅方向に並ぶように配置され、記録媒体Ｐの幅方向における異なる領域（幅部分）の記録を分担して行うよう構成されている。すなわち、印刷装置２０１〜２０６は、共同して一つの画像を形成する印刷システムを構成している。記録媒体の幅方向に並べる際には、必ずしも一直線状に並べる必要はなく、隣接する記録ヘッドの端部の数ドットが相互に重なるように千鳥状に配置してもよい。端部のどのノズルまでを有効にするかは予め定めておくことにより、隣接する記録ヘッドの境界において画像に空白が生じないように制御することができる。
【００２０】
本実施の形態における印刷装置２０１〜２０６の各々は、独立したエンジンであるプリンタユニット（「印刷装置」）を構成し、記録媒体Ｐの幅方向にノズル列が延在するインクジェット記録ヘッドを備えており、ＰＣ１００から受信する画像データに基づいて、インクジェット記録ヘッドからインクを吐出する。この例では、フルカラーの画像を記録すべく、イエロー（Ｙ）、マゼンタ（Ｍ）、シアン（Ｃ）、およびブラック（Ｋ）のインクを吐出するための４つのインクジェット記録ヘッドを備えている。
【００２１】
このように複数の独立した印刷装置を用いることにより、１個の印刷装置の記録幅を単位記録幅（例えば４インチ）として、利用する印刷装置の個数を変えて、種々の用紙幅に対応した印刷システムを構成できる。また、個々の印刷装置の故障や不具合が発生したときには、当該印刷装置のみを交換することができる。そのため、システム全体が大きくなってもメンテナンスコストが比較的に軽減される。このような印刷システムは業務用の用途に適している。
【００２２】
図２は図１に示したＰＣ１００の内部構成例を示している。ＰＣ１００は、本実施の形態では、オペレーティングシステムの制御下において、画像データを生成するアプリケーション（プログラム）や印刷制御プログラム（プリンタドライバ）等を実行する。本例においては、オペレーティングシステムとして「Windowｓ（登録商標）」を用いる。具体的には、ＰＣ１００は、ＰＣ１００の各種制御を行う制御部を構成するＣＰＵ（Central Processing Unit）１０２と、このＣＰＵ１０２用の作業領域および一時記憶領域を提供するメモリであるＲＡＭ（Random Access Memory）１０３と、ＣＰＵ１０２が初期的に実行するブートプログラム等を格納する不揮発性メモリであるＲＯＭ（Read Only Memory）１０４とはシステムバス１０９を介して相互に接続されている。表示装置であるディスプレイ１１０はビデオインタフェース１０８を介してシステムバス１０９に接続されている。ポインティングデバイスの一種であるマウス１１１は、マウスインタフェース１０５を介してシステムバス１０９に接続されている。オペレーティングシステムや各種プログラムが格納されている大容量の外部記憶装置であるハードディスク装置１１３は、ハードディスクインタフェース１０７を介してシステムバス１０９に接続されている。また、システムバス１０９はプリンタインタフェース１０１（上述した２０１ａ〜２０６ａに対応）を介して印刷装置２０１〜２０６に接続される。
【００２３】
ＰＣ１００において、印刷システム２００を制御する場合は、ハードディスク装置１１３に格納されているプログラムがＲＡＭ１０３にロードされてＣＰＵ１０２によって実行される。
【００２４】
図３に、図１の印刷システム２００の一部である印刷装置２０１の構成例を示す。また、ＰＣ１００と媒体搬送装置２１８とを併せて示す。印刷装置２０２〜２０６の構成は印刷装置２０１と同じである。
【００２５】
ＣＰＵ２１０はこの印刷装置２０１の全体の動作を制御する制御部を構成し、バスを介してメモリコントローラ２１２、インタフェースコントローラ２１３、プログラムＲＯＭ２１４、ワークＲＡＭ２１５、ＥＥＰＲＯＭ２１６、記録ヘッド制御回路２１９、Ｉ／Ｏポート２２１と接続されている。
【００２６】
メモリコントローラ２１２は、印刷データを格納するメモリであるＶＲＡＭ２１１に接続され、ＣＰＵ２１０の制御下でＶＲＡＭ２１１への印刷データの書き込みを行うとともに、同期化回路２１７からの出力信号に同期してＶＲＡＭ２１１からの読み出しを行う。同期化回路２１７は、媒体搬送装置２１８での記録媒体の搬送状態に同期してメモリコントローラ２１２への信号を生成する機能を有する。媒体搬送装置２１８は記録媒体の最大幅に対応したものを全印刷装置で共有するか、あるいは、個々の印刷装置の搬送装置を連動して動作するよう構成する。
【００２７】
インタフェースコントローラ２１３は、ＣＰＵ２１０の制御下で、ＰＣ１００と通信インタフェース（図ではＵＳＢの例）を介してデータ通信を行う部位である。
【００２８】
プログラムＲＯＭ２１４は、この印刷装置２０１の動作を実現するためのコンピュータプログラムを格納した不揮発性のメモリである。ワークＲＡＭ２１５は、ＣＰＵ２１０により利用されるワーク領域やデータの一時記憶領域を提供する読み書き可能なメモリである。ＥＥＰＲＰＭ２１６は、再書き込み可能な不揮発性のメモリであり、例えばユーザの設定データなどを不揮発的に記録するために利用される。
【００２９】
記録ヘッド制御回路２１９は、ＣＰＵ２１０の制御下で、メモリコントローラ２１２からの印刷データを受信し、ＣＭＹＫの各色の記録ヘッド２２０へ対応する印刷データを転送する。
【００３０】
Ｉ／Ｏポート２２１は、ＣＰＵ２１０の制御下で、モータ駆動部２２２に制御信号を与えて、キャッピングモータ２２３やポンプモータ２２４のような外部の出力装置を制御する。キャッピングモータ２２３は、不使用時に記録ヘッド２２０にキャップをしてインクの乾燥を防ぐための機構を駆動する動力源である。ポンプモータ２２４は記録ヘッド中のインクに圧力を掛けて記録ヘッドの回復動作等を行うための動力源である。
【００３１】
図３は、本実施の形態においてＰＣ１００において実行される印刷システムの制御に関連したアプリケーション３００の表示画面４００の例を示している。
【００３２】
表示画面４００には、運転画面３１０と印刷データ登録画面３２０とメンテナンス画面３３０の３つの画面に対応するタブ４１０，４２０，４３０、および、アプリケーションを終了するための「終了」ボタン４４０が用意されている。
【００３３】
「運転画面」は、アプリケーション起動直後に表示される画面であり、主に登録されている印刷データを分割し、各印刷装置に転送する処理と、各印刷装置からステータスを取得して表示する処理を行う。印刷データは、複数の印刷装置に対して、それぞれが担当する画像部分を分割して転送する。印刷装置に転送する印刷データには、印刷装置に対する命令および画像（ＣＭＹＫ）データを記述している。印刷装置は受信した印刷データを解凍し、データの中身を解読して動作する。図４の例は、この運転画面がアクティブになった状態を示している。
【００３４】
「印刷データ登録画面」は、ＲＧＢからＣＭＹＫへの画像データの形式の変換、およびＣＭＹＫから印刷データへの変換、および印刷データの圧縮を行い、記憶部３４０（例えば図２のハードディスク装置１１３）に印刷データを登録する処理を行う。印刷データの圧縮方式としては例えば"ＰａｃｋＢｉｔｓ"という符号化が用いられる。
【００３５】
「メンテナンス画面」は、各印刷装置にメンテナンスを行う命令を送る処理を行う。メンテナンスは記録ヘッドのクリーニング処理等を含む。
【００３６】
画面４００の一覧リスト表示欄４１２には、登録された印刷データの一覧リストａ（図の例では印刷データは１件のみ登録されている）が表示されるようになっている。さらに、登録された印刷データの印刷に必要なインク使用量の表示が例えば開かれたウィンドウ内に行われる。
【００３７】
「印刷データ一覧」中の１件の印刷データについては、「受注番号」「商品名」「商品名（コード）」「客先名」「シート寸法」「フルート」「印刷面材質」の各項目が表示されるようになっている。「受注番号」「商品名」などの付属情報は印刷データをユーザ（例えば段ボール印刷会社）が識別する為の情報であり、印刷データの作成の際、ユーザにより入力され、印刷データと共に情報を保存される。ユーザは印刷を行う際、運転画面において、印刷データ一覧リストの情報を見てどの印刷を行うか選択する。
【００３８】
画面４００の右側の表示欄４４４には、一覧リストから選択された印刷データの印刷イメージ（サムネイル：縮小画像）が表示され、その内容が認識できるようになっている。
【００３９】
画面４００の右下の「転送」「キャンセル」「サムネイル一覧」「削除」のボタン４５１〜４５４の機能は次のとおりである。
「転送」：印刷データ一覧リストの中から選択したデータを、印刷装置に転送するためにユーザが指示するボタンである。  
「キャンセル」：転送途中でキャンセル、又は転送終了後に印刷装置から転送したデータを削除するためにユーザが指示するボタンである。
「サムネイル一覧」：別画面（図示せず）を開き、印刷データ一覧に登録されている印刷データ全てのサムネイルを表示するためにユーザが指示するボタンである。  
「削除」：印刷データ一覧リストの中から選択したデータを削除するためにユーザが指示するボタンである。  
【００４０】
画面４００の左側下部のステータス情報表示欄３００、３０１は、それぞれ、印刷システムについて、および個々の印刷装置についてのステータス表示を行う領域である。
【００４１】
図の例では、ステータス情報表示欄３００には「転送中」というメッセージが表示されている。この表示欄３００には、複数の印刷装置の台数分あるステータス情報を変換して１つのステータスメッセージにしたものを表示する欄である。表示欄３００の右側に「１／６」という数字が表示されているのは、印刷システムを構成している６台の印刷装置のうち、現在、１台目に印刷データの転送をしている状態を示している。すなわち、表示欄３００の右側の欄の数字は全台数のうち現在何台目の印刷装置に転送しているかを示している。正常であれば、この数字は２台目、３台目と転送していくと、「２／６」、「３／６」と変化していき、全印刷装置に転送が終了するとこの番号表示は消える。
表示欄３００に表示されるメッセージとしては、本実施の形態では以下のものがある。
「転送中」：印刷装置に印刷データを転送している場合に表示される。  
「転送不可」：６台の印刷装置のうち、何台かにステータスエラーが発生している、又はいずれかがビジー状態にある場合に表示される。「データ転送不可」の場合、「転送」ボタンがグレイで表示され、押下できないようにしている。したがって、「データ転送不可」の場合、ユーザは転送の指示自体ができない。このように本実施の形態では、印刷システムのステータスが「転送不可」である場合に、ユーザによる印刷指示を抑止するとともに、その抑止状態をユーザが認識できる表示態様で画面上に表示している。
「インクがありません」：インク残量が少ない場合に表示される。
「転送可」：「転送中」、「転送不可」、「インクがありません」の３つ以外の場合に表示される。  
【００４２】
前述のように表示欄３０１には個々の印刷装置のステータス情報が表示される。図では各印刷装置を「プリントモジュール」と呼んでいる。
【００４３】
図５に、以下に、表示欄３００と表示欄３０１の関係を表すために、幾つかの場合を例示する。
【００４４】
図５（ａ）に示す例１は、印刷装置２０１〜２０６が正常に接続されており、どの印刷装置も「転送中」、「転送不可」、「インクがありません」のいずれにも該当しない場合を示している。この場合、表示欄３００に「転送可」と表示され、表示欄３０１にはプリントモジュール１〜６のすべてが「オンライン」と表示されている。
【００４５】
例２は、印刷装置２０１〜２０６が接続されていて、印刷装置２０３に印刷データ転送中の場合を示している。この場合、表示欄３００には「転送中」と表示され、表示欄３０１には、プリントモジュール３のみ「データ受信中」と表示され、他のプリントモジュールについては「オンライン」と表示されている。
【００４６】
例３は、印刷装置２０１〜２０６が接続されていて、印刷装置２０２がクリーニング中の場合を示している。この場合、表示欄３００に「転送不可」と表示され、表示欄３０１にはプリントモジュール２について「クリーニング中」と表示され、他のプリントモジュールについては「オンライン」と表示されている。
【００４７】
図６は、本実施の形態において印刷システムのステータスを表示するための処理例を表すフローチャートである。この処理はＣＰＵ１０２が上述したアプリケーションにおける印刷制御プログラムを実行することにより実現される。
【００４８】
この処理は、上述した図４の画面の起動により開始され、画面４００が終了されるまで繰り返して実行される（Ｓ１１〜Ｓ１５）。すなわち、画面４００が起動されている期間中、所定のイベントの発生が監視される（Ｓ１２）。所定のイベントとはここでは予め定められた一定時間間隔（一定周期）で発生するタイマーイベントを例として挙げる。この一定時間間隔は、予め固定であってもよいし、ユーザが任意に（あるいは所定の範囲内で）指定可能としてもよい。イベント発生時には、タイマーイベント処理を実行する（Ｓ１３）。この詳細については後述する。タイマーイベント処理で得られたステータスを、上述した態様で画面４００の表示欄３０１，３０２に表示する（Ｓ１４）。
【００４９】
図７は、図６内に示したタイマーイベント処理（Ｓ１３）の詳細な内部処理例を示すフローチャートである。
【００５０】
この処理では以下の処理ステップを印刷装置の台数分繰り返して実行する（Ｓ２１〜Ｓ３０）。すなわち、ステータス取得・解析を印刷装置分行う。
【００５１】
まず、着目した印刷装置について、ＰＣ１００から当該印刷装置に接続可能か否かをチェックする（Ｓ２２）。接続不可であれば、転送不可と判断し、印刷システムのステータスを「転送不可」とする（表示欄３００に「転送不可」のメッセージを表示する）（Ｓ２９）。
【００５２】
接続可であれば、当該印刷装置のステータスの取得を試みる（Ｓ２３）。所定時間内にステータスを取得できなければ（Ｓ２４，Ｙｅｓ）、上記と同様に転送不可とする（Ｓ２９）。
【００５３】
ステータスを取得できたら、次に、当該印刷装置について現在、データ転送中（データ受信中）か否かをチェックする（Ｓ２５）。データ転送中であれば、上記と同様に転送不可とする（Ｓ２９）。
【００５４】
データ転送中でなければ、当該印刷装置についてステータスエラーが発生しているか否かをチェックする（Ｓ２６）。ステータスエラーとは、例えば、カバーが開いている状態、ジャムが発生している状態、紙無しエラー（全印刷装置に共通）が発生している状態、等である。ステータスエラーが発生していれば、上記と同様に転送不可とする（Ｓ２９）。
【００５５】
ステータスエラーが発生していなければ、当該印刷装置が現在ビジー状態かどうかをチェックする（Ｓ２７）。ビジー状態とは印刷動作やクリーニング動作を実行中であることを示す。ビジー状態であれば、上記と同様に転送不可とする（Ｓ２９）。
【００５６】
ビジー状態でなければ、次に当該印刷装置のいずれかのインクについてインク無し(Empty）状態か否かをチェックする（Ｓ２８）。インク無し状態であれば、上記と同様に転送不可とする（Ｓ２９）。
【００５７】
インク無し状態でなければ、転送可能と判断して、ステップＳ２２へ戻り、次の印刷装置のステータスの取得・解析へ移行する。
【００５８】
以上、本発明の好適な実施の形態について説明したが、上記で言及した以外にも種々の変形、変更を行うことが可能である。例えば、１台の印刷装置で用いる記録ヘッドの個数は４個としたが、これより少なくても多くてもよい。
【図面の簡単な説明】
【００５９】
【図１】本発明の実施の形態に係る印刷システムの概略構成を、情報処理装置であるＰＣとともに示した図である。
【図２】図１に示したＰＣの内部構成例を示す図である。
【図３】図１の印刷システムの一部である印刷装置の構成例を示す図である。
【図４】本発明の実施の形態におけるＰＣのモニタにおけるアプリケーションの表示画面例を示す図である。
【図５】図４の表示画面における表示欄３００と表示欄３０１の関係を表す例の説明示する。
【図６】本発明の実施の形態において印刷システムのステータスを表示するための処理例を表すフローチャートである。
【図７】図６内に示したタイマーイベント処理（Ｓ１３）の詳細な内部処理例を示すフローチャートである。
【符号の説明】
【００６０】
１０９…システムバス
１１０…ディスプレイ
１１１…マウス
１１３…ハードディスク装置
２００…印刷システム
２０１〜２０６…印刷装置
２０１ａ〜２０６ａ…通信インタフェース
２１２…メモリコントローラ
２１３…インタフェースコントローラ
２１５…ワークＲＡＭ
２１４…プログラムＲＯＭ
２１７…同期化回路
２１８…媒体搬送装置
２１９…記録ヘッド制御回路
２２０…記録ヘッド
２２１…Ｉ／Ｏポート
２２２…モータ駆動部
２２３…キャッピングモータ
２２４…ポンプモータ
３００…ＰＣ内アプリケーション
３０１…モニタ
３１０…運転画面
３２０…印刷データ登録画面
３３０…メンテナンス画面
３４０…記憶装置
４００…表示画面
４１０，４２０，４３０…タブ
４１２…一覧リスト表示欄
４４０…「終了」ボタン
４４４…表示欄
４５１〜４５４…ボタン
５００…ウィンドウ画面
Ｐ…記録媒体
【図１】
2007128469.tif 000003
【図２】
2007128469.tif 000004
【図３】
2007128469.tif 000005
【図５】
2007128469.tif 000006
【図６】
2007128469.tif 000007
【図７】
2007128469.tif 000008
【図４】
2007128469.tif 000009